(57)【特許請求の範囲】
【請求項１】
他の無線通信装置との接続が完了したことを検出する検出手段と、
自装置以外の無線通信装置からのその周辺の無線通信装置を探索するための宛先が特定されないインクワイアリ信号に対して応答データを生成しない処理を規定するブルートゥース規格に基づくモードと、前記自装置以外の無線通信装置とをそれぞれ対応付けて記憶するテーブルと、
前記検出手段によって接続が完了したことが検出されたされた後、前記他の無線通信装置以外の無線通信装置からその周辺の無線通信装置を探索するための宛先が特定されないインクワイアリ信号を受信する手段と、
前記インクワイアリ信号を受信した場合に、前記他の無線通信装置以外の無線通信装置に対して、前記テーブルに規定されているモードにしたがって、インクワイアリ信号に対する応答データを生成しない処理を行なう手段と
を具備することを特徴とする無線通信装置。
【請求項２】
前記他の無線通信装置との通信終了後、前記モードを解除することを特徴とする請求項１記載の無線通信装置。
【請求項３】
自装置以外の無線通信装置からのその周辺の無線通信装置を探索するための宛先が特定されないインクワイアリ信号に対して応答データを生成しない処理を規定するブルートゥース規格に基づくモードと、前記自装置以外の無線通信装置とをそれぞれ対応付けて記憶するテーブルを具備する無線通信装置における無線通信方法において、
他の無線通信装置との接続が完了したことを検出し、
接続が完了したことが検出されたされた後、前記他の無線通信装置以外の無線通信装置からその周辺の無線通信装置を探索するための宛先が特定されないインクワイアリ信号を受信し、
前記インクワイアリ信号を受信した場合に、前記他の無線通信装置以外の無線通信装置に対して、前記テーブルに規定されているモードにしたがって、インクワイアリ信号に対する応答データを生成しない処理を行なうことを特徴とする無線通信方法。
【請求項４】
前記他の無線通信装置との通信終了後、前記モードを解除することを特徴とする請求項３記載の無線通信方法。
【発明の詳細な説明】
【０００１】
【発明の属する技術分野】
本発明は、無線通信装置に関し、特に、他の無線通信装置との接続を確立した後、該無線通信装置以外の無線通信装置からの検出や接続に関する設定を自動的に変更する無線通信装置に関する。
【０００２】
【従来の技術】
近年、無線通信技術の発達により、複数の無線通信装置の間において近距離無線通信を行なうことを可能とするBluetooth技術が開発されている。このようなBluetooth技術を採用する技術の例としては、例えば、特開２００１−１８９９７４号公報がある。
【０００３】
上記先行技術では、無線通信方式の一つであるBluetoothにおいて、無線通信装置間で連結（Connection）が確立するまでの過程を以下のように説明している。
【０００４】
「ある機器が他の機器との通信を成すためには照会を行って自分の電波がおよぶ領域にBluetoothを装着している機器があるかどうかを検査する。その機器は照会スキャンにより他のある機器から照会があるかどうかを調べ、これに対して照会応答機能でその照会に応答する。その機器は、FHS(Frequency Hopping Synchronization)パケットを伝送する照会応答を通じて相手の４８ビット住所が分かる。機器間にはこの住所により連結が設定される。連結を設定しようとする発信機器が特定住所を使用してページ課程を始める。この時、着信機器は周期的にページスキャンを行うが、普通ページ期間がページスキャン区間より長いために発信器機との連結設定が可能になる。ページスキャンを通じて自分がページされていることを認識した着信機器は直ちに連結を設定する過程を始め、正常の場合、連結が設定される。」
この記述にあるように、無線通信装置間で通信をする場合、まず、無線通信を行おうとする第一の無線通信装置が、周囲の無線通信装置に対して照会（インクワイアリ（Inquiry））信号を発する。次に、そのインクワイアリ信号を受信した第二の無線通信装置が、第一の無線通信装置に対して応答を返す。次に第一の無線通信装置がインクワイアリに対する応答を受信することにより周囲に存在する無線通信装置を検出し、応答を返してきた第二の無線通信装置に対して、接続を要求するためページ（Page）信号を発する。次に、第二の無線通信装置がページ信号を受信し、ページ応答を第一の無線通信装置に返す。以上の過程を経て無線通信装置間の接続を確立し、無線通信が可能な状態となる。
【０００５】
【発明が解決しようとする課題】
Bluetoothでは、一台の無線通信装置に対して複数の無線通信装置間との接続を確立して通信することが想定されているため、ある無線通信装置との接続が確立し、それ以外の無線通信装置との接続を望んでいなくとも、他の無線通信装置からインクワイアリやページが送られてきた場合、それらに対する応答処理をおこなうために、現在接続している無線通信装置との間の通信が妨げられるおそれがあるという問題があった。
【０００６】
また、接続時に認証をおこなうよう設定している場合には、他の無線通信装置からのページを受信するたびに認証用のコードを入力を促されることになり、不要な操作を強いられることとなるという問題もある。
【０００７】
本発明は、上記実情に鑑みてなされたものであり、ある無線通信装置との接続を確立した後、現在接続が確立している無線通信装置以外との接続確立を拒否し、現在接続が確立している無線通信装置間での通信を妨げないような無線通信装置を提供することを目的とする。
【０００８】
【課題を解決するための手段】
したがって、上記目的を達成するために、本発明の第１の観点は、他の無線通信装置との接続が完了したことを検出する検出手段と、自装置以外の無線通信装置からのその周辺の無線通信装置を探索するための宛先が特定されないインクワイアリ信号に対して応答データを生成しない処理を規定するブルートゥース規格に基づくモードと、前記自装置以外の無線通信装置とをそれぞれ対応付けて記憶するテーブルと、前記検出手段によって接続が完了したことが検出されたされた後、前記他の無線通信装置以外の無線通信装置からその周辺の無線通信装置を探索するための宛先が特定されないインクワイアリ信号を受信する手段と、前記インクワイアリ信号を受信した場合に、前記他の無線通信装置以外の無線通信装置に対して、前記テーブルに規定されているモードにしたがって、インクワイアリ信号に対する応答データを生成しない処理を行なう手段とを具備することを特徴とする無線通信装置、である。
【０００９】
また、本発明の第２の観点は、他の無線通信装置との接続が完了したことを検出し、前記他の無線通信装置以外の無線通信装置との通信を禁止するモードに移行することを特徴とする無線通信装置における通信方法である。
【００１０】
このような発明によれば、ある無線通信装置と接続が確立した後に、所定のモードに入り、当該無線通信装置以外の無線通信装置との通信を禁止することができるので、接続が確立している無線通信装置との接続が妨げられることがない。
【００１１】
【発明の実施の形態】
＜第１の実施の形態＞
以下、図面を参照して、本発明の一実施の形態に係る無線通信装置について説明する。
【００１２】
図１は、本発明の一実施の形態に係る無線通信装置の使用環境の一例を示す図である。同図において、ノート型パーソナルコンピュータ１、ＰＤＡ(Personal Digital Assistant)２及びＶＴＲカメラ３は、それぞれBluetoothモジュールを搭載しており、互いに無線通信可能な環境にある。
【００１３】
図２は、無線通信装置であるノート型パーソナルコンピュータ１の機能ブロック図である。なお、ここでは、ノート型パーソナルコンピュータ１について示したが、他の無線通信装置であるＰＤＡ２及びＶＴＲカメラ３も同様の機能を有するものとする。
【００１４】
同図に示すように、ノート型パーソナルコンピュータ１は、ユーザインターフェイス部１１、制御部１２、モード設定部１３、データ処理部１４、無線用データ処理部１５、無線部１６及びアンテナ１７を具備している。
【００１５】
ユーザーインターフェース部１１は、ユーザーからの無線通信装置の検出要求や接続要求を受け付け、制御部１２にそのコマンドを送る。
【００１６】
制御部１２は、ユーザーインターフェース部１１からのコマンドを制御データとして無線用データ処理部１５に送る。また、無線用データ処理部１５から出力される復調された受信データが制御データであるか通常のデータであるかを判別し、受信データに応じた処理をおこなう。受信データが通常のデータであるなら、データ処理部１４へ送り、データ処理部１４がデータ処理をおこなう。
【００１７】
また、受信データが制御データであるなら、それに対応する制御データを無線用データ処理部１５へ送り返したり、ユーザーインターフェース部１１、モード設定部１３へその制御情報を送る。
【００１８】
無線用データ処理部１５は、制御データを変調して無線部１６に送り、アンテナ１７から電波を発することにより他の無線通信装置に対して制御データを送信する。また、無線用データ処理部１５では、受信したデータを復調し、制御部１２へ送る。
【００１９】
無線部１６は、アンテナ１７で他の無線通信装置から発せられた電波を受け、無線用データ処理部１５へ送る。
【００２０】
モード設定部１３は、制御部１２から、他の無線通信装置との接続が完了したとの制御データを受け取った場合、他の無線通信装置からの検出や接続の要求に関する設定を自動的に変更する。
【００２１】
このモードの設定は、図３に示すような固有アドレスと接続確立時に選択されるモードとの関係を示すモード設定テーブル１８に対して行なわれる。
【００２２】
図３において、例えば、固有アドレスＡに対応する機器と接続が確立した場合には、接続不可モード(Non-connectable mode)１になることを意味する。また、固有アドレスＢに対応する機器と接続が確立した場合には、検出不可モード(Non-discoverable mode)になることを意味する。
【００２３】
ここで、接続不可モード及び検出不可モードは、Bluetooth規格に定められているモードであり、「接続不可モード」は、他の無線通信装置からのページ信号に応答しないモードであり、ページスキャン状態に入らないことを意味し、「検出不可モード」は、他の無線通信装置からのインクワイアリ信号に応答しないモードであり、インクワイアリ信号の応答状態に入らないことを意味する。
【００２４】
なお、接続不可モードについて、２種類定めているのは、後述するように、ページ信号を受信した後、ページに応答しない場合と、ページ拒否を応答する場合とがあるからである。
【００２５】
制御部１２は、無線用データ処理部１５で復調された受信データが、他の無線通信装置からの検出や接続の要求に関するものであった場合、モード設定部１３により設定されたモードに基づいて、他の無線通信装置からの検出や接続の要求に対する応答を無線用データ処理部１４へ送る。
【００２６】
次に、本発明の第１の実施の形態に係るノート型パーソナルコンピュータの動作について、図４のフローチャートを参照して説明する。なお、ここでは、図１に示したノート型パーソナルコンピュータ１を無線通信装置Ａ、ＰＤＡ２を無線通信装置Ｂ及びＶＴＲカメラ３を無線通信装置Ｃとして説明する。
【００２７】
まず、無線通信を開始しようとする無線通信装置Ａの使用者は、無線通信装置Ａの周囲に存在する無線通信装置を検出するようユーザーインターフェース部１１より要求する。インターフェース部１１からの要求により、制御部１２は、インクワイアリ用のデータを生成し、インクワイアリ用データは、無線用データ処理部１５へ送られ、変調される。変調されたインクワイアリ用データは無線部１６へ送られ、アンテナ１７から送信される（ＳＡ１）。
【００２８】
次に、無線通信装置Ｂは、無線通信装置Ａから送信されたインクワイアリを、アンテナ１７で受信し、受信したインクワイアリを無線部１６から無線用データ処理部１５に出力する。無線用データ処理部１５は、受信したインクワイアリを復調し、制御部１２へ送る（ＳＢ１）。
【００２９】
無線通信装置Ｂの制御部１２は、インクワイアリを受信したと判断し、無線通信装置Ｂの固有アドレスを含んだインクワイアリ応答データを生成し、無線用データ処理部１５へ送る。無線用データ処理部１５は、インクワイアリ応答データを変調し、変調したインクワイアリ応答データを無線部７に送る。そして、インクワイアリ応答データは、アンテナ１７から送信される（ＳＢ２）。
【００３０】
次に、無線通信装置Ａは、無線通信装置Ｂから送信されたインクワイアリ応答をアンテナ１７で受信し、この受信したインクワイアリ応答は無線部１６から無線用データ処理部１５に送られる。無線用データ処理部１５においては、受信したインクワイアリ応答を変調し、制御部１２へ送る。制御部１２において、インクワイアリ応答を受信したと判断し（ＳＡ２）、受信したインクワイアリ応答に含まれている無線通信装置Ｂの固有アドレス情報をユーザーインターフェース部１１へ送り、ユーザーインターフェース部１１で、無線通信装置Ｂの固有アドレス情報を表示する。
【００３１】
次に、無線通信装置Ｂとの接続を所望する無線通信装置Ａの使用者は、ユーザーインターフェース部１１から接続先として無線通信装置Ｂの固有アドレスを指定して、接続要求を制御部１２へ送る。制御部１２では無線通信装置Ｂに対するページ用のデータを生成し、無線用データ処理部１５へ送る。無線用データ処理部１５において変調されたページデータは無線部１６へ送られ、アンテナ１７から送信される（ＳＡ３）。
【００３２】
次に、無線通信装置Ｂは、無線通信装置Ａから送信されたページを、アンテナ１７で受信し、受信したページを無線用データ処理部１５で復調し、制御部１２へ送る。制御部１２において、ページを受信したと判断し（ＳＢ３）、ページ応答データを生成し、無線用データ処理部１５へ送る。無線用データ処理部１５において変調されたページ応答データは無線部１６へ送られ、アンテナ１７から送信される（ＳＢ４）。
【００３３】
次に、無線通信装置Ａは、無線通信装置Ｂから送信されたページ応答をアンテナ１７で受信し、受信したページ応答を無線用データ処理部１５で復調し、制御部１２へ送る。制御部１２において、ページ応答を受信したと判断し（ＳＡ４）、認証が必要ならば、ユーザーインターフェース部１１へ認証コードの入力を要求する表示をさせる。無線通信装置Ａの使用者は、認証コードを入力し（ＳＡ５）、ステップＳ１０において、無線通信装置Ｂと認証用データを交換し認証をおこなう（ＳＡ６）。
【００３４】
一方、無線通信装置Ｂでは、ページ応答を送った後、無線通信装置Ａとの認証が必要ならば、ユーザーインターフェース部１１へ認証コードの入力を要求する表示をさせる。無線通信装置Ｂの使用者は、ステップＳ１１において、認証コードを入力し（ＳＢ５）、ステップＳ１３において、無線通信装置Ａと認証用データを交換し認証をおこなう（ＳＢ６）。
【００３５】
ステップＳＡ６、ＳＢ６での認証が成功した場合、無線通信装置Ａおよび無線通信装置Ｂは接続が確立したものとして、ユーザーインターフェース部１１へ接続確立の情報を送り、各無線通信装置のユーザーインターフェース部１１は、接続が確立したことを各無線通信装置の使用者に通知する（ＳＡ７、ＳＢ７）。
【００３６】
無線通信装置ＡにおいてはステップＳＡ７、無線通信装置ＢにおいてはステップＳＢ７において制御部１２が接続を確立したと判断したら、制御部１２はモード設定部１３に接続確立したことを通知する。無線通信装置Ａでは、モード設定部１３は、モード設定テーブル１８にあらかじめ設定されたモード設定にしたがい、制御部１２に検出不可モードへ移行するよう命令を送る。無線通信装置Ｂにおいても、同様に、モード設定部１３は制御部１２に検出不可モードへ移行するよう命令を送る。なお、無線通信装置Ａ及び無線通信装置Ｂのモード設定テーブル１８においては、無線通信装置Ａ及び無線通信装置Ｂ間で接続が確立した場合、検出不可モードに移行するように設定されているものとする。これらにより、無線通信装置Ａと無線通信装置Ｂとの間で接続が確立した後、検出不可モードへ自動的に移行することとなる（ＳＡ８、ＳＢ８）。接続確立後、無線通信装置Ａと無線通信装置Ｂとの間でデータの送受信が行なわれる（ＳＡ９、ＳＢ９）。
【００３７】
ここで、第三の無線通信装置Ｃが無線通信装置Ｂとの接続を所望した場合、無線通信装置Ｃは、ステップＳＣ１おいて無線通信装置ＡのステップＳＡ１と同様にインクワイアリを送信する。
【００３８】
無線通信装置Ｂは、ステップＳＢ１０において、ステップＳＢ１と同様な手順で無線通信装置Ｃからのインクワイアリを受信する。無線通信装置Ｂは、無線通信装置Ｃからのインクワイアリを受信したものの、検出不可モードへ移行しているため、制御部１２はインクワイアリに対する応答データを生成せず、ステップＳＢ１１では、インクワイアリ応答を送信しない。
【００３９】
その後、無線通信装置Ｃは、無線通信装置Ｂからのインクワイアリ応答を受信できないため、無線通信装置Ｂを検出することができず、ステップＳＣ２において、インクワイアリのタイムアウトが発生する。このため、無線通信装置Ｃは無線通信装置Ｂの固有アドレスを取得できず、接続を要求することができなくなり、ステップＳＡ９とステップＳＢ９における、無線通信装置Ａと無線通信装置Ｂ間のデータ送受信を妨げることはない。
【００４０】
ステップＳＡ９とステップＳＢ９における、無線通信装置Ａと無線通信装置Ｂ間のデータ送受信終了後、無線通信装置Ｂにおいてモード設定、すなわち、検出不可モードがクリアされ（ＳＢ１２）、通常のモードに入る。
【００４１】
したがって、本実施の形態の無線通信装置によれば、接続確立後、検出不可モードにはいるので、接続が確立している無線通信装置との通信が妨げられることがない。
【００４２】
＜第２の実施の形態＞
次に、本発明の第２の実施の形態に係る無線通信装置の動作について、図５のフローチャートを参照して説明する。
【００４３】
無線通信装置Ａと無線通信装置Ｂ間で接続を確立する過程、すなわち、ステップＳＡからステップＳ７およびステップＳＢ１からステップＳＢ７までは、図４において説明した場合と同様である。
【００４４】
無線通信装置ＡにおいてはステップＳＡ７、無線通信装置ＢにおいてはステップＳＢ７において制御部１２が接続を確立したと判断したら、制御部１２はモード設定部１３に接続確立したことを通知する。無線通信装置Ａでは、モード設定部１３は、あらかじめ設定されたモード設定にしたがい、制御部１２に受信したページに対して拒否する応答をするような接続不可モードへ移行するよう命令を送る。無線通信装置Ｂにおいても、同様に、モード設定部１３は制御部１２に受信したページに対して拒否する応答をするような接続不可モードへ移行するよう命令を送る。なお、無線通信装置Ａ及び無線通信装置Ｂのモード設定テーブル１８においては、無線通信装置Ａ及び無線通信装置Ｂ間で接続が確立した場合、接続不可モードに移行するように設定されているものとする。これらにより、無線通信装置Ａと無線通信装置Ｂとの間で接続が確立した後、受信したページに対して拒否する応答をするような接続不可モードへ自動的に移行することとなる（ＳＡ８−１、ＳＢ８−１）。
【００４５】
ここで、第三の無線通信装置Ｃが無線通信装置Ｂとの接続を所望したとする。無線通信装置Ｃは、無線通信装置Ｂが検出不可モード移行する前にインクワイアリをしてインクワイアリ応答を受信したなど、事前に無線通信装置Ｂの固有アドレスを取得していたものとする。
【００４６】
無線通信装置ＣはステップＳＣ１−１において、無線通信装置Ｂの固有アドレスを指定してページ送信をする。無線通信装置ＢはステップＳＢ１０−１において、無線通信装置Ｃからのページを受信するが、接続不可モードへ移行しているので、制御部１２はページを拒否する応答データを生成し（ＳＢ１０−１）、ページを拒否する応答を送信する（ＳＢ１１−１）。
【００４７】
無線通信装置Ｃは、無線通信装置Ｂからのページ拒否応答を受信し（ＳＣ２−１）、接続が確立できなかったため、、制御部１２はユーザーインターフェース部１１に接続確立が不成功となったことを通知し、ユーザーインターフェース部１１に接続確立が不成功となったことを表示させる（ＳＣ３−１）。このため、無線通信装置Ｃは、無線通信装置Ｂとの接続を確立できず、ステップＳＡ９とステップＳＢ９における、無線通信装置Ａと無線通信装置Ｂ間のデータ送受信を妨げることはない。
【００４８】
ステップＳＡ９とステップＳＢ９における、無線通信装置Ａと無線通信装置Ｂ間のデータ送受信終了後、無線通信装置Ｂにおいてモード設定、すなわち、検出不可モードがクリアされ（ＳＢ１２）、通常のモードに入る。
【００４９】
したがって、本実施の形態の無線通信装置によれば、接続確立後、接続不可モードに入り、他の無線通信装置からのページ信号に対してページ拒否信号を送信するので、接続が確立している無線通信装置との通信が妨げられることがない。
【００５０】
＜第３の実施の形態＞
次に、本発明の第３の実施の形態に係る無線通信装置の動作について、図６のフローチャートを参照して説明する。
【００５１】
無線通信装置Ａと無線通信装置Ｂ間で接続を確立する過程、すなわち、ステップＳＡ１からステップＳＡ７およびステップＳＢ１からステップＳＢ８までは、図４において説明した場合と同様である。
【００５２】
無線通信装置ＡにおいてはステップＳＡ７、無線通信装置ＢにおいてはステップＳＢ７において制御部１２が接続を確立したと判断したら、制御部１２はモード設定部１３に接続確立したことを通知する。
【００５３】
無線通信装置Ａでは、モード設定部１３は、あらかじめ設定されたモード設定にしたがい、制御部１２に受信したページに対して応答をしないような接続不可モードへ移行するよう命令を送る。無線通信装置Ｂにおいても、モード設定部１３は制御部１２に受信したページに対して応答をしないような接続不可モードへ移行するよう命令を送る。なお、無線通信装置Ａ及び無線通信装置Ｂのモード設定テーブル１８においては、無線通信装置Ａ及び無線通信装置Ｂ間で接続が確立した場合、接続不可モードに移行するように設定されているものとする。これらにより、無線通信装置Ａと無線通信装置Ｂとの間で接続が確立した後、受信したページに対して応答をしないような接続不可モードへ自動的に移行することとなる（ＳＡ８−２、ＳＢ８−２）。
【００５４】
ここで、第三の無線通信装置Ｃが無線通信装置Ｂとの接続を所望したとする。無線通信装置Ｃは、無線通信装置Ｂが検出不可モード移行する前にインクワイアリをしてインクワイアリ応答を受信したなど、事前に無線通信装置Ｂの固有アドレスを取得していたものとする。
【００５５】
無線通信装置ＣはステップＳＣ１−２において、無線通信装置Ｂの固有アドレスを指定してページ送信をする。無線通信装置ＢはステップＳＢ１０−２において、無線通信装置Ｃからのページを受信するが、接続不可モードへ移行しているので、制御部１２はページに対する応答データを生成せず、ページに対する応答を送信しない（ＳＢ１１−２）。
【００５６】
無線通信装置Ｃは、無線通信装置Ｂからのページ応答がなかったため、タイムアウトが発生し（ＳＣ２−２）、接続が確立できない。無線通信装置Ｃは、無線通信装置Ｂとの接続が確立できなかったため、制御部１２はユーザーインターフェース部１１に接続確立が不成功となったことを通知し、ユーザーインターフェース部１１に接続確立が不成功となったことを表示させる（ＳＣ３−２）。このため、無線通信装置Ｃは、無線通信装置Ｂとの接続を確立できず、ステップＳＡ９とステップＳＢ９における、無線通信装置Ａと無線通信装置Ｂ間のデータ送受信を妨げることはない。
【００５７】
したがって、本実施の形態の無線通信装置によれば、接続確立後、接続不可モードに入り、他の無線通信装置からのページ信号に対して応答しないので、接続が確立している無線通信装置との通信が妨げられることがない。
【００５８】
なお、上述の実施の形態においては、接続不可モードに移行する場合と、接続不可モードに移行する場合とに分けて説明したが、接続が確立した場合に、接続不可モード及び検出不可モードに同時に入ってもよい。
【００５９】
また、上述の実施の形態においては、無線通信装置Ａからのページを受信し、それに応答することで無線通信装置Ａとの第一の接続を確立する無線通信装置Ｂに対して、第三の無線通信装置Ｃが接続要求をおこなう例を示したが、第一の接続確立後、無線通信装置Ａも、自動的に検出不可モードや接続不可モードへ移行しているので、無線通信装置Ｃが無線通信装置Ａに対して接続要求をおこなった場合でも有効である。
【００６０】
以上述べてきたように、本実施の形態の無線通信装置によれば、ある無線通信装置との接続を確立した後、それ以外の無線通信装置に対する検出や接続の要求に関する設定を自動的に変更し、応答を返さない、または要求を拒否する応答を返すことにより、現在接続が確立している無線通信装置以外との接続確立を拒否し、現在接続が確立している無線通信装置間での通信が妨げられるのを防止することができる。
【００６１】
なお、本願発明は、上記各実施形態に限定されるものでなく、実施段階ではその要旨を逸脱しない範囲で種々に変形することが可能である。また、各実施形態は可能な限り適宜組み合わせて実施してもよく、その場合組み合わされた効果が得られる。さらに、上記各実施形態には種々の段階の発明が含まれており、開示される複数の構成要件における適宜な組み合わせにより種々の発明が抽出され得る。例えば実施形態に示される全構成要件から幾つかの構成要件が省略されることで発明が抽出された場合には、その抽出された発明を実施する場合には省略部分が周知慣用技術で適宜補われるものである。
【００６２】
【発明の効果】
以上詳記したように、本発明によれば、ある無線通信装置との接続を確立した後、現在接続が確立している無線通信装置以外との接続確立を拒否し、現在接続が確立している無線通信装置間での通信を妨げないような無線通信装置を提供することができる。
【図面の簡単な説明】
【図１】本発明の一実施の形態に係る無線通信装置の使用環境の一例を示す図である。
【図２】無線通信装置であるノート型パーソナルコンピュータ１の機能ブロック図である。
【図３】固有アドレスと接続確立時に選択されるモードとの関係を示すモード設定テーブルを示す図である。
【図４】本発明の第１の実施の形態に係るノート型パーソナルコンピュータの動作を説明するためのフローチャートである。
【図５】本発明の第２の実施の形態に係る無線通信装置の動作を説明するためのフローチャートである。
【図６】本発明の第３の実施の形態に係る無線通信装置の動作を説明するためのフローチャートである。
【符号の説明】
１…ノート型パーソナルコンピュータ、
２…ＰＤＡ、
３…ＶＴＲカメラ、
１１…ユーザインターフェイス部、
１２…制御部、
１３…モード設定部、
１４…データ処理部、
１５…無線用データ処理部、
１６…無線部、
１７…アンテナ、
１８…モード設定テーブル。
【図１】
0003668170.tif 000002
【図２】
0003668170.tif 000003
【図３】
0003668170.tif 000004
【図４】
0003668170.tif 000005
【図５】
0003668170.tif 000006
【図６】
0003668170.tif 000007